(57)【要約】【課題】低コストで待ち受け時の消費電力を低減させること。【解決手段】発信側装置２００より発信された送信波３２（広帯域信号）を受信波３３として受信する広帯域増幅部５２および周波数逆拡散部５３と、発信側装置２００より発信され、待ち受けを解除するための待ち受け解除コードを含む送信波３２（広帯域信号）を狭帯域で受信する狭帯域増幅部９１およびバンドパスフィルタ３０１と、待ち受け時に広帯域増幅部５２等をオフにするとともに、狭帯域増幅部９１およびバンドパスフィルタ３０１をオンにする狭帯域通信モードに通信モードを設定し、狭帯域増幅部９１およびバンドパスフィルタ３０１に待ち受け解除コードを含む広帯域信号が受信された場合、待ち受けを解除し、広帯域増幅部５２等をオンにするとともに、狭帯域増幅部９１およびバンドパスフィルタ３０１をオフにする広帯域通信モードに通信モードを変更する制御部３０２とを備えている。【選択図】　　　図１
2004007288.tif 000002
【特許請求の範囲】
【請求項１】
発信側装置より発信された広帯域信号を広帯域で受信する広帯域受信手段と、
前記発信側装置より発信され、待ち受けを解除するための待ち受け解除コードを含む広帯域信号を狭帯域で受信する狭帯域受信手段と、
待ち受け時に前記広帯域受信手段をオフにするとともに、前記狭帯域受信手段をオンにする狭帯域通信モードに通信モードを設定し、前記狭帯域受信手段に前記待ち受け解除コードを含む広帯域信号が受信された場合、待ち受けを解除し、前記広帯域受信手段をオンにするとともに、前記狭帯域受信手段をオフにする広帯域通信モードに前記通信モードを変更する制御手段と、
を備えたことを特徴とする無線通信装置。
【請求項２】
前記狭帯域受信手段は、受信された前記広帯域信号を狭帯域の増幅特性で増幅する狭帯域増幅部と、該狭帯域増幅部の出力信号を狭帯域のバンドパスフィルタ特性でフィルタリングするバンドパスフィルタとを備えたことを特徴とする請求項１に記載の無線通信装置。
【請求項３】
前記制御手段は、予め登録された基準待ち受け解除コードと、前記待ち受け解除コードとを比較し、両者が一致した場合に限り、前記通信モードを前記広帯域通信モードに変更することを特徴とする請求項１または２に記載の無線通信装置。
【請求項４】
前記基準待ち受け解除コードは、予め複数登録されており、前記制御手段は、複数の基準待ち受け解除コードと、前記待ち受け解除コードとを比較し、一致する組がある場合に限り、前記通信モードを前記広帯域通信モードに変更することを特徴とする請求項３に記載の無線通信装置。
【請求項５】
前記発信側装置へ登録対象の待ち受け解除コードを要求する要求手段と、
当該発信側装置より待ち受け解除コードが受信された場合、該待ち受け解除コードを前記基準待ち受け解除コードとして登録する登録手段と、
を備えたことを特徴とする請求項３または４に記載の無線通信装置。
【発明の詳細な説明】
【０００１】
【発明の属する技術分野】
本発明は、例えば、ＣＤＭＡ（ＣｏｄｅＤｉｖｉｓｉｏｎＭｕｌｔｉｐｌｅＡｃｃｅｓｓ；符号分割多元接続）方式により無線通信を行うための無線通信装置に関するものであり、特に、低コストで待ち受け時の消費電力を低減させることができる無線通信装置に関するものである。
【０００２】
【従来の技術】
ＣＤＭＡ方式は、移動端末毎に異なる拡散符号を割り当てることにより、同一の周波数帯域を利用して通信を行うことができる無線通信方式であり、移動体通信で広く利用されている。
【０００３】
図９は、従来のＣＤＭＡ通信システム１０の構成を示すブロック図である。ＣＤＭＡ通信システム１０は、発信側装置２０と着信側装置５０との間で無線リンク４０を介して、ＣＤＭＡ方式により無線通信を行うためのシステムである。発信側装置２０は、例えば、ＰＤＡ（Ｐｅｒｓｏｎａｌ　Ｄｉｇｉｔａｌ　Ａｓｓｉｓｔａｎｔｓ）機器である。
【０００４】
着信側装置５０は、例えば、携帯電話機である。着信側装置５０は、常時、待ち受け状態にあり、発信側装置２０との間に無線リンク４０が設定される。すなわち、発信側装置２０は、着信側装置５０を遠隔操作する場合等に用いられる。また、無線リンク４０においては、例えば、ＢｌｕｅＴｏｏｔｈ等の２．４ＧＨｚ帯域が用いられる。
【０００５】
ＣＤＭＡ方式において、発信側装置２０は、図１０（ａ）に示したように送信データ３０にベースバンド変調をかけ、狭帯域のベースバンド変調信号を生成した後、このベースバンド変調信号を拡散符号によって再度変調し、広帯域の送信波３２を送信する送信機能を備えている。
【０００６】
一方、着信側装置５０は、図１０（ｂ）に示したように、発信側装置２０からの送信波３２を広帯域の受信波３３として受信し、逆拡散符号を用いた周波数逆拡散処理により、狭帯域のベースバンド変調信号を抽出した後、これをベースバンド復調して受信データ３５とする。
【０００７】
図９に戻り、発信側装置２０において、変調部２１は、送信データ３０にベースバンド変調をかけ、狭帯域のベースバンド変調信号を生成する。周波数拡散部２２は、変調部２１からのベースバンド変調信号を拡散符号３１を用いて、再度変調し、広帯域の周波数拡散信号を生成する。
【０００８】
広帯域増幅部２３は、広帯域の増幅特性を備えており、周波数拡散部２２からの広帯域の周波数拡散信号を増幅し、アンテナ２４から広帯域の送信波３２として、無線リンク４０を介して、着信側装置５０へ送信する。
【０００９】
一方、着信側装置５０において、アンテナ５１は、送信波３２を受信波３３として受信する。広帯域増幅部５２は、広帯域の増幅特性を備えており、受信波３３に対応する広帯域の受信信号を増幅する。
【００１０】
周波数逆拡散部５３は、逆拡散符号３４を用いた周波数逆拡散処理により、広帯域増幅部５２からの広帯域の受信信号から狭帯域のベースバンド変調信号を抽出する。復調部５４は、周波数逆拡散部５３からのベースバンド変調信号をベースバンド復調して、受信データ３５を出力する。
【００１１】
上記ＣＤＭＡ通信システム１０においては、発信側装置２０との間に無線リンク４０が確立するまで、着信側装置５０は、待ち受け状態にあり、広帯域増幅部５２、周波数逆拡散部５３等の各部で電力が消費される。
【００１２】
このことから、広帯域の増幅を行う広帯域増幅部５２や、周波数逆拡散部５３での消費電力が大きいため、着信側装置５０では、バッテリ（図示略）がもたないという問題が生じる。
【００１３】
そこで、従来では、待ち受け時の消費電力を低減させるために、図１１に示したＣＤＭＡ通信システム７０が用いられる。この図において、図９の各部に対応する部分には同一の符号を付け、その説明を省略する。
【００１４】
発信側装置８０において、狭帯域増幅部８１は、広帯域増幅部２３に併設されており、変調部２１からの狭帯域のベースバンド変調信号を増幅し、アンテナ２４から狭帯域の送信波３２として、無線リンク４０を介して、着信側装置９０へ送信する。
【００１５】
ここで、狭帯域増幅部８１は、ベースバンド帯域の信号を増幅するものであり、広帯域増幅部２３に比べて、増幅特性の帯域幅が狭いため、消費電力が少ない。制御部８２は、各部を制御する。
【００１６】
例えば、制御部８２は、発信側装置８０の通信モードを狭帯域通信モードまたは広帯域通信モードのいずれかに切り替えるための制御を行う。狭帯域通信モードは、狭帯域増幅部８１をオン、広帯域増幅部２３および周波数拡散部２２をオフにして、着信側装置９０との間で狭帯域（ベースバンド帯域）での通信を行うための通信モードである。
【００１７】
一方、広帯域通信モードは、狭帯域増幅部８１をオフ、広帯域増幅部２３および周波数拡散部２２をオンにして、着信側装置９０との間で広帯域での通信を行うための通信モードである。ここで、狭帯域通信モードは、広帯域通信モードに比べて、発信側装置８０における消費電力が少ない。
【００１８】
着信側装置９０において、狭帯域増幅部９１は、広帯域増幅部５２に併設されており、アンテナ５１からの狭帯域（ベースバンド帯域）の受信信号を増幅し、これを復調部５４へ出力する。この狭帯域増幅部９１は、広帯域増幅部５２に比べて、増幅特性の帯域幅が狭いため、消費電力が少ない。制御部９２は、各部を制御する。
【００１９】
例えば、制御部９２は、着信側装置９０の通信モードを狭帯域通信モードまたは広帯域通信モードのいずれかに切り替えるための制御を行う。狭帯域通信モードは、狭帯域増幅部９１をオン、広帯域増幅部５２および周波数逆拡散部５３をオフにして、発信側装置８０との間で狭帯域（ベースバンド帯域）での通信を行うための通信モードである。
【００２０】
一方、広帯域通信モードは、狭帯域増幅部９１をオフ、広帯域増幅部５２および周波数逆拡散部５３をオンにして、発信側装置８０との間で広帯域での通信を行うための通信モードである。ここで、狭帯域通信モードは、広帯域通信モードに比べて、着信側装置９０における消費電力が少ない。
【００２１】
ＣＤＭＡ通信システム７０では、着信側装置９０における待ち受け時に低消費電力の狭帯域通信モードを利用し、待ち受け後のＣＤＭＡ方式による通信で広帯域通信モードを利用することにより、待ち受け時の消費電力を低減させている。
【００２２】
以下では、図１２および図１３を参照して、ＣＤＭＡ通信システム７０の動作について説明する。図１２は、図１１に示した発信側装置８０の動作を説明するフローチャートである。図１３は、図１１に示した着信側装置９０の動作を説明するフローチャートである。
【００２３】
図１２に示したステップＳＡ１では、発信側装置８０の制御部８２は、着信側装置９０との間で通信を行うための通信要求が発生したか否かを判断し、この場合、判断結果を「Ｎｏ」として、同判断を繰り返す。
【００２４】
一方、図１３に示したステップＳＢ１では、着信側装置９０の制御部９２は、発信側装置８０からの通信要求を待つという待ち受け状態にあり、通信モードを狭帯域通信モードに設定する。
【００２５】
具体的には、制御部９２は、広帯域増幅部５２および周波数逆拡散部５３をオフにし、狭帯域増幅部９１をオンにする。ステップＳＢ２では、制御部９２は、発信側装置８０より待ち受け解除コードを受信したか否かを判断し、この場合、判断結果を「Ｎｏ」とする。以後、待ち受け時には、ステップＳＢ１およびステップＳＢ２が繰り返され、着信側装置９０が低消費電力状態とされる。
【００２６】
なお、待ち受け解除コードは、着信側装置９０の待ち受け状態を解除し、通信モードを狭帯域通信モードから広帯域通信モードに切り替えるためのコードである。また、待ち受け解除コードは、発信側装置８０に付与されたユニークなコードである。
【００２７】
そして、発信側装置８０で通信要求が発生すると、制御部８２は、図１２に示したステップＳＡ１の判断結果を「Ｙｅｓ」とする。ステップＳＡ２では、制御部８２は、発信側装置８０における通信モードを狭帯域通信モードに設定する。具体的には、制御部８２は、広帯域増幅部２３および周波数拡散部２２をオフとし、狭帯域増幅部８１をオンとする。
【００２８】
ステップＳＡ３では、制御部８２は、待ち受け解除コード１００を変調部２１へ出力する。これにより、待ち受け解除コード１００が変調部２１によりベースバンド変調され、変調部２１からのベースバンド変調信号が狭帯域増幅部８１により増幅される。そして、アンテナ２４からは、送信波３２（待ち受け解除コード１００）が着信側装置９０へ送信される。
【００２９】
そして、送信波３２（待ち受け解除コード１００）が受信波３３として、アンテナ５１に受信されると、狭帯域増幅部９１では、アンテナ５１からの受信信号が増幅される。復調部５４は、増幅された受信信号から待ち受け解除コード１００を復調し、これを制御部９２へ出力する。
【００３０】
これにより、制御部９２は、ステップＳＢ２の判断結果を「Ｙｅｓ」とする。ステップＳＢ３では、制御部９２は、予め設定された基準待ち受け解除コードと、上記待ち受け解除コード１００とが一致するか否かを判断する。この判断結果が「Ｎｏ」である場合、制御部９２は、待ち受けを解除することなく、ステップＳＢ１で通信モードを狭帯域通信モードに維持する。
【００３１】
この場合、ステップＳＢ３の判断結果が「Ｙｅｓ」であるとすると、ステップＳＢ４では、制御部９２は、待ち受け状態を解除すべく、通信モードを狭帯域通信モードから広帯域通信モードに変更する。具体的には、制御部９２は、広帯域増幅部５２および周波数逆拡散部５３をオンとし、狭帯域増幅部９１をオフとする。
【００３２】
ステップＳＢ５では、制御部９２は、発信側装置８０より広帯域通信要求データを受信したか否かを判断し、この場合、判断結果を「Ｎｏ」として、同判断を繰り返す。なお、一定時間以上広帯域通信要求データが受信されない場合、制御部９２は、タイムアウトとして、ステップＳＢ１以降の処理を実行する。
【００３３】
また、図１２に示したステップＳＡ４では、発信側装置８０の制御部８２は、発信側装置８０における通信モードを狭帯域通信モードから広帯域通信モードに変更する。具体的には、制御部８２は、広帯域増幅部２３および周波数拡散部２２をオンとし、狭帯域増幅部８１をオフとする。
【００３４】
ステップＳＡ５では、制御部８２は、広帯域通信要求データを変調部２１へ出力する。これにより、広帯域通信要求データが変調部２１によりベースバンド変調され、変調部２１からのベースバンド変調信号が周波数拡散部２２に入力される。
【００３５】
周波数拡散部２２は、変調部２１からのベースバンド変調信号を拡散符号３１を用いて、再度変調し、広帯域の周波数拡散信号を広帯域増幅部２３へ出力する。広帯域増幅部２３は、上記広帯域の周波数拡散信号を増幅し、アンテナ２４から広帯域の送信波３２（広帯域通信要求データ）として、無線リンク４０を介して、着信側装置９０へ送信する。
【００３６】
ステップＳＡ６では、制御部８２は、着信側装置９０より、上記広帯域通信要求データに対応する応答データを受信したか否かを判断し、この場合、判断結果を「Ｎｏ」として、同判断を繰り返す。
【００３７】
そして、送信波３２（広帯域通信要求データ）が受信波３３として、アンテナ５１に受信されると、広帯域増幅部５２では、アンテナ５１からの受信信号が増幅される。
【００３８】
周波数逆拡散部５３は、逆拡散符号３４を用いた周波数逆拡散処理により、広帯域増幅部５２からの広帯域の受信信号から狭帯域のベースバンド変調信号を抽出する。復調部５４は、周波数逆拡散部５３からのベースバンド変調信号をベースバンド復調して、受信データ３５（広帯域通信要求データ）を制御部９２へ出力する。
【００３９】
これにより、制御部９２は、図１３に示したステップＳＢ５の判断結果を「Ｙｅｓ」とする。ステップＳＢ６では、制御部９２は、広帯域通信要求データに対応する応答データを送信部（図示略）に送信させる。
【００４０】
そして、上記応答データが発信側装置８０の受信部（図示略）に受信されると、制御部８２は、ステップＳＡ６の判断結果を「Ｙｅｓ」とする。
【００４１】
これにより、ステップＳＡ７では、制御部８２は、送信データ３０を変調部２１へ出力し、着信側装置９０との間で、周波数拡散部２２および広帯域増幅部２３を用いた広帯域通信モードで広帯域通信を実行する。ステップＳＡ８では、制御部８２は、通信終了が指示されたか否かを判断し、この場合、判断結果を「Ｎｏ」として、ステップＳＡ７の処理を実行する。
【００４２】
同様にして、図１３に示したステップＳＢ７では、着信側装置９０の制御部９２は、広帯域増幅部５２および周波数逆拡散部５３を用いた広帯域通信モードで広帯域通信を実行する。ステップＳＢ８では、制御部９２は、通信が終了したか否かを判断し、この場合、判断結果を「Ｎｏ」として、ステップＳＢ７の処理を実行する。
【００４３】
そして、発信側装置８０で通信終了が指示されると、制御部８２は、図１２に示したステップＳＡ８の判断結果を「Ｙｅｓ」とする。ステップＳＡ９では、制御部８２は、通信モードを広帯域通信モードから通信停止モードに変更する。具体的には、制御部８２は、広帯域増幅部２３および周波数拡散部２２をオフにするとともに、狭帯域増幅部８１をオフにし、通信を停止した後、ステップＳＡ１の判断を行う。
【００４４】
これにより、発信側装置８０と着信側装置９０との間の通信が終了するため、着信側装置９０の制御部９２は、図１３に示したステップＳＢ８の判断結果を「Ｙｅｓ」とする。
【００４５】
ステップＳＢ１では、制御部９２は、着信側装置９０を広帯域通信状態から待ち受け状態とすべく、通信モードを広帯域通信モードから狭帯域通信モードに変更する。
【００４６】
具体的には、制御部９２は、広帯域増幅部５２および周波数逆拡散部５３をオフにし、狭帯域増幅部９１をオンにする。ステップＳＢ２では、制御部９２は、発信側装置８０より待ち受け解除コードを受信したか否かを判断し、この場合、判断結果を「Ｎｏ」とする。以後、待ち受け時には、ステップＳＢ１およびステップＳＢ２が繰り返され、着信側装置９０が低消費電力状態とされる。
【００４７】
【発明が解決しようとする課題】
ところで、前述したように、従来のＣＤＭＡ通信システム７０（図１１参照）においては、着信側装置９０の待ち受け時に狭帯域通信モード（狭帯域増幅部９１がオン、広帯域増幅部５２および周波数逆拡散部５３がオフ）を用いることにより、着信側装置５０（図９参照）に比べて、着信側装置９０の消費電力が低減される。
【００４８】
しかしながら、従来のＣＤＭＡ通信システム７０においては、低消費電力を実現するために、発信側装置８０および着信側装置９０の双方に広帯域通信モードの他に狭帯域通信モードを利用するために狭帯域増幅部（狭帯域増幅部８１、９１）やアルゴリズムが追加で必要となり、改造等のコストが高くつくという問題があった。
【００４９】
本発明は、上記に鑑みてなされたもので、低コストで待ち受け時の消費電力を低減させることができる無線通信装置を提供することを目的とする。
【００５０】
【課題を解決するための手段】
上記目的を達成するために、本発明は、発信側装置より発信された広帯域信号を広帯域で受信する広帯域受信手段と、前記発信側装置より発信され、待ち受けを解除するための待ち受け解除コードを含む広帯域信号を狭帯域で受信する狭帯域受信手段と、待ち受け時に前記広帯域受信手段をオフにするとともに、前記狭帯域受信手段をオンにする狭帯域通信モードに通信モードを設定し、前記狭帯域受信手段に前記待ち受け解除コードを含む広帯域信号が受信された場合、待ち受けを解除し、前記広帯域受信手段をオンにするとともに、前記狭帯域受信手段をオフにする広帯域通信モードに前記通信モードを変更する制御手段と、を備えたことを特徴とする。
【００５１】
この発明によれば、発信側装置より発信された広帯域信号を広帯域で受信する広帯域受信手段と、発信側装置より発信され、待ち受けを解除するための待ち受け解除コードを含む広帯域信号を狭帯域で受信する狭帯域受信手段とを設け、待ち受け時に広帯域受信手段をオフにするとともに、狭帯域受信手段をオンにする狭帯域通信モードに通信モードを設定し、狭帯域受信手段に待ち受け解除コードを含む広帯域信号が受信された場合、待ち受けを解除し、広帯域受信手段をオンにするとともに、狭帯域受信手段をオフにすることとしたので、広帯域のみに対応する発信側装置で足り、しかも待ち受け時に狭帯域通信モードにより消費電力が広帯域通信モードに比べ低減されるため、低コストで待ち受け時の消費電力を低減させることができる。
【００５２】
【発明の実施の形態】
以下、図面を参照して本発明にかかる無線通信装置の一実施の形態について詳細に説明する。
【００５３】
図１は、本発明にかかる一実施の形態の構成を示すブロック図である。この図において、図１１の各部に対応する部分には同一の符号を付ける。同図に示したＣＤＭＡ通信システム５００は、発信側装置２００と着信側装置３００との間で無線リンク４０を介して、ＣＤＭＡ方式により無線通信を行うためのシステムである。
【００５４】
発信側装置２００は、例えば、ＰＤＡ機器である。この発信側装置２００においては、図１１に示した狭帯域増幅部８１が設けられておらず、発信側装置２０（図９参照）と同様にして、広帯域通信モードのみの通信が可能とされている。
【００５５】
制御部２０１は、各部を制御するものである。この制御部２０１の動作の詳細については、後述する。また、発信側装置２００からは広帯域の送信波３２が送信され、この送信波３２は、広帯域の受信波３３として後述するアンテナ５１に受信される。
【００５６】
着信側装置３００は、例えば、携帯電話機であり、着信側装置９０（図１１参照）と同様にして、広帯域通信モードまたは狭帯域通信モードが設定可能である。この着信側装置３００においては、バンドパスフィルタ３０１が新たに設けられている。また、着信側装置３００においては、図１１に示した制御部９２に代えて、制御部３０２が設けられている。
【００５７】
アンテナ５１は、発信側装置２００からの送信波３２を、広帯域の受信波３３として受信し、広帯域の受信信号を広帯域増幅部５２および狭帯域増幅部９１へ出力する。狭帯域増幅部９１は、アンテナ５１からの広帯域の受信信号を増幅し、これをバンドパスフィルタ３０１へ出力する。但し、狭帯域増幅部９１の増幅特性が狭帯域であるため、狭帯域増幅部９１からは、ベースバンド周波数を中心とする狭帯域の受信信号が出力される。
【００５８】
この狭帯域増幅部９１は、前述したように、広帯域増幅部５２に比べて、増幅特性の帯域幅が狭いため、消費電力が少ない。バンドパスフィルタ３０１は、図２に示したように、受信波３３に対応する広帯域の受信信号が狭帯域増幅部９１により増幅された受信信号のうち、狭帯域（ベースバンド周波数帯）の成分のみを通過させ、これをベースバンド信号として復調部５４へ出力する。
【００５９】
なお、バンドパスフィルタ３０１からのベースバンド信号のゲイン（図２参照）が、周波数逆拡散部５３からのベースバンド復調信号（図１０（ｂ）参照）に比べて低いが、発信側装置２００と着信側装置３００との間の距離が短い場合には、低ゲインであっても、特に問題とならない。
【００６０】
制御部３０２は、各部を制御する。例えば、制御部３０２は、着信側装置３００の通信モードを狭帯域通信モードまたは広帯域通信モードのいずれかに切り替えるための制御を行う。狭帯域通信モードは、狭帯域増幅部９１およびバンドパスフィルタ３０１をオン、広帯域増幅部５２および周波数逆拡散部５３をオフにして、発信側装置２００との間で狭帯域（ベースバンド帯域）での通信を行うための通信モードである。
【００６１】
一方、広帯域通信モードは、狭帯域増幅部９１およびバンドパスフィルタ３０１をオフ、広帯域増幅部５２および周波数逆拡散部５３をオンにして、発信側装置２００との間で広帯域での通信を行うための通信モードである。ここで、狭帯域通信モードは、広帯域通信モードに比べて、着信側装置３００における消費電力が少ない。
【００６２】
ＣＤＭＡ通信システム５００では、着信側装置３００における待ち受け時に低消費電力の狭帯域通信モードを利用し、待ち受け後のＣＤＭＡ方式による通信で広帯域通信モードを利用することにより、待ち受け時の消費電力を低減させている。
【００６３】
また、実際には、発信側装置２００と着信側装置３００との間の通信においては、図３に示した送信パケット８００が用いられる。この送信パケット８００は、アクセスコード部（７２ビット）、ヘッダ部（５４ビット）およびペイロード部から構成されている。
【００６４】
つぎに、図４および図５を参照して、ＣＤＭＡ通信システム５００の動作について説明する。図４は、図１に示した発信側装置２００の動作を説明するフローチャートである。図５は、図１に示した着信側装置３００の動作を説明するフローチャートである。
【００６５】
図４に示したステップＳＣ１では、発信側装置２００の制御部２０１は、着信側装置３００との間で通信を行うための通信要求が発生したか否かを判断し、この場合、判断結果を「Ｎｏ」として、同判断を繰り返す。
【００６６】
一方、図５に示したステップＳＤ１では、着信側装置３００の制御部３０２は、発信側装置２００からの通信要求を待つという待ち受け状態にあり、通信モードを狭帯域通信モードに設定する。
【００６７】
具体的には、制御部３０２は、広帯域増幅部５２および周波数逆拡散部５３をオフにし、狭帯域増幅部９１およびバンドパスフィルタ３０１をオンにする。ステップＳＤ２では、制御部３０２は、発信側装置２００より待ち受け解除コード含む広帯域通信要求データを受信したか否かを判断し、この場合、判断結果を「Ｎｏ」とする。以後、待ち受け時には、ステップＳＤ１およびステップＳＤ２が繰り返され、着信側装置３００が低消費電力状態とされる。
【００６８】
なお、上記待ち受け解除コードは、着信側装置３００の待ち受け状態を解除し、通信モードを狭帯域通信モードから広帯域通信モードに切り替えるためのコードである。また、待ち受け解除コードは、発信側装置２００に付与されたユニークなコードである。
【００６９】
そして、発信側装置２００で通信要求が発生すると、制御部２０１は、図４に示したステップＳＣ１の判断結果を「Ｙｅｓ」とする。ステップＳＣ２では、制御部２０１は、待ち受け解除コード４００を含む広帯域通信要求データを変調部２１へ出力する。
【００７０】
なお、実際には、広帯域通信要求データは、送信パケット８００（図３参照）と同様のデータ構成である。この場合、待ち受け解除コード４００は、アクセスコード部に設定される。
【００７１】
そして、上記広帯域通信要求データが変調部２１によりベースバンド変調され、変調部２１からのベースバンド変調信号が周波数拡散部２２に入力される。周波数拡散部２２は、変調部２１からのベースバンド変調信号を拡散符号３１を用いて、再度変調し、広帯域の周波数拡散信号を広帯域増幅部２３へ出力する。
【００７２】
広帯域増幅部２３は、上記広帯域の周波数拡散信号を増幅し、アンテナ２４から広帯域の送信波３２（広帯域通信要求データ）として、無線リンク４０を介して、着信側装置３００へ送信する。
【００７３】
ステップＳＣ３では、発信側装置２００の制御部２０１は、着信側装置３００より、上記広帯域通信要求データに対応する応答データを受信したか否かを判断し、この場合、判断結果を「Ｎｏ」として、同判断を繰り返す。
【００７４】
そして、送信波３２（待ち受け解除コード４００を含む広帯域通信要求データ）が受信波３３として、アンテナ５１に受信されると、狭帯域増幅部９１では、アンテナ５１からの広帯域の受信信号が狭帯域で増幅される。
【００７５】
これにより、バンドパスフィルタ３０１は、図２に示したように、受信波３３に対応する広帯域の受信信号が狭帯域増幅部９１により増幅された受信信号のうち、狭帯域（ベースバンド周波数帯）の成分のみを通過させ、これをベースバンド信号として復調部５４へ出力する。復調部５４は、増幅された受信信号から広帯域通信要求データを復調し、これを制御部３０２へ出力する。
【００７６】
これにより、制御部３０２は、図５に示したステップＳＤ２の判断結果を「Ｙｅｓ」とする。ステップＳＤ３では、制御部３０２は、予め設定された基準待ち受け解除コードと、上記広帯域通信要求データに含まれる待ち受け解除コード４００とが一致するか否かを判断する。この判断結果が「Ｎｏ」である場合、制御部３０２は、待ち受けを解除することなく、ステップＳＤ１で通信モードを狭帯域通信モードに維持する。
【００７７】
この場合、ステップＳＤ３の判断結果が「Ｙｅｓ」であるとすると、ステップＳＤ４では、制御部３０２は、待ち受け状態を解除すべく、通信モードを狭帯域通信モードから広帯域通信モードに変更する。具体的には、制御部３０２は、広帯域増幅部５２および周波数逆拡散部５３をオンとし、狭帯域増幅部９１およびバンドパスフィルタ３０１をオフとする。
【００７８】
ステップＳＤ５では、制御部３０２は、広帯域通信要求データに対応する応答データを送信部（図示略）に送信させる。
【００７９】
そして、上記応答データが発信側装置２００の受信部（図示略）に受信されると、制御部２０１は、図４に示したステップＳＣ３の判断結果を「Ｙｅｓ」とする。
【００８０】
これにより、ステップＳＣ４では、制御部２０１は、送信データ３０を変調部２１へ出力し、着信側装置３００との間で、周波数拡散部２２および広帯域増幅部２３を用いた広帯域通信モードで広帯域通信を実行する。ステップＳＣ５では、制御部２０１は、通信終了が指示されたか否かを判断し、この場合、判断結果を「Ｎｏ」として、ステップＳＣ４の処理を実行する。
【００８１】
同様にして、図５に示したステップＳＤ６では、着信側装置３００の制御部３０２は、広帯域増幅部５２および周波数逆拡散部５３を用いた広帯域通信モードで広帯域通信を実行する。ステップＳＤ７では、制御部３０２は、通信が終了したか否かを判断し、この場合、判断結果を「Ｎｏ」として、ステップＳＤ６の処理を実行する。
【００８２】
そして、発信側装置２００で通信終了が指示されると、制御部２０１は、図４に示したステップＳＣ５の判断結果を「Ｙｅｓ」とし、通信を停止した後、ステップＳＣ１の判断を行う。
【００８３】
これにより、発信側装置２００と着信側装置３００との間の通信が終了するため、着信側装置３００の制御部３０２は、図５に示したステップＳＤ７の判断結果を「Ｙｅｓ」とする。
【００８４】
ステップＳＤ１では、制御部３０２は、着信側装置３００を広帯域通信状態から待ち受け状態とすべく、通信モードを広帯域通信モードから狭帯域通信モードに変更する。
【００８５】
具体的には、制御部３０２は、広帯域増幅部５２および周波数逆拡散部５３をオフにし、狭帯域増幅部９１およびバンドパスフィルタ３０１をオンにする。ステップＳＤ２では、制御部３０２は、発信側装置２００より待ち受け解除コードを含む広帯域通信要求データを受信したか否かを判断し、この場合、判断結果を「Ｎｏ」とする。以後、待ち受け時には、ステップＳＤ１およびステップＳＤ２が繰り返され、着信側装置３００が低消費電力状態とされる。
【００８６】
なお、上述した一実施の形態では、図１に示した着信側装置３００が１台の発信側装置２００と通信する場合について説明したが、複数台の発信側装置であっても対応可能である。
【００８７】
この場合には、着信側装置３００のメモリ（図示略）には、図６に示した待ち受け解除コードテーブル９００が格納されている。この待ち受け解除コードテーブル９００には、複数台の発信側装置（発信側装置２００と同一構成）にそれぞれ付与された待ち受け解除コードが番号とともに登録されている。
【００８８】
そして、ある発信側装置より、待ち受け解除コードを含む広帯域通信要求データが着信側装置３００に受信されると、制御部３０２は、ステップＳＤ３（図５参照）と同様にして、受信した待ち受け解除コードをキーとして、待ち受け解除コードテーブル９００（図６参照）を照会し、一致する待ち受け解除コードがあるか否かを判断する。
【００８９】
一致である場合には、制御部３０２は、ステップＳＤ４以降の処理を実行する。一方、不一致である場合には、制御部３０２は、ステップＳＤ１以降の処理を実行する。
【００９０】
また、一実施の形態では、ステップＳＤ３（図５参照）で用いられる基準待ち受け解除コードの登録方法について特に言及しなかったが、図７に示したフローチャートに基づいて登録を行ってもよい。
【００９１】
図７は、一実施の形態における基準待ち受け解除コード登録処理を説明するフローチャートである。図１に示した発信側装置２００に対応する基準待ち受け解除コードを着信側装置３００のメモリ（図示略）に登録する場合、図７に示したステップＳＥ１では、制御部３０２は、狭帯域通信モードで、発信側装置２００へ待ち受け解除コードを要求する。
【００９２】
ステップＳＥ２では、制御部３０２は、発信側装置２００より、待ち受け解除コードを含む広帯域通信要求データを受信したか否かを判断し、この場合、判断結果を「Ｎｏ」として、同判断を繰り返す。
【００９３】
そして、着信側装置３００からの上記要求を受け付けると、発信側装置２００は、前述した動作と同様にして、待ち受け解除コードを含む広帯域通信要求データを着信側装置３００へ送信する。
【００９４】
そして、上述した動作を経て、上記広帯域通信要求データが着信側装置３００に受信されると、制御部３０２は、ステップＳＥ２の判断結果を「Ｙｅｓ」とする。ステップＳＥ３では、制御部３０２は、広帯域通信要求データから待ち受け解除コードを抽出し、これを発信側装置２００に対応する基準待ち受け解除コードとして、メモリ（図示略）に登録する。
【００９５】
ステップＳＥ４では、制御部３０２は、ステップＳＤ４（図５参照）と同様にして、通信モードを狭帯域通信モードから広帯域通信モードに変更する。ステップＳＥ５では、制御部３０２は、広帯域通信モードで応答データを発信側装置２００へ送信する。
【００９６】
ステップＳＥ６では、制御部３０２は、ステップＳＤ１（図５参照）と同様にして、通信モードを広帯域通信モードから狭帯域通信モードに変更し、着信側装置３００を待ち受け状態とする。
【００９７】
以上説明したように、一実施の形態によれば、発信側装置２００より発信された送信波３２（広帯域信号）を広帯域で受信する広帯域増幅部５２および周波数逆拡散部５３と、発信側装置２００より発信され、待ち受けを解除するための待ち受け解除コードを含む送信波３２（広帯域信号）を狭帯域で受信する狭帯域増幅部９１およびバンドパスフィルタ３０１とを設け、待ち受け時に通信モードを狭帯域通信モードに設定し、狭帯域増幅部９１およびバンドパスフィルタ３０１に待ち受け解除コードを含む広帯域信号が受信された場合、待ち受けを解除し、広帯域増幅部５２および周波数逆拡散部５３をオンにするとともに、狭帯域増幅部９１およびバンドパスフィルタ３０１をオフにすることとしたので、広帯域のみに対応する発信側装置２００で足り、しかも待ち受け時に狭帯域通信モードにより消費電力が広帯域通信モードに比べ低減されるため、低コストで待ち受け時の消費電力を低減させることができる。
【００９８】
また、一実施の形態によれば、予め登録された基準待ち受け解除コードと、待ち受け解除コードとを比較し（ステップＳＤ３：図５参照）、両者が一致した場合に限り、通信モードを広帯域通信モードに変更することとしたので、セキュリティを高めることができる。
【００９９】
また、一実施の形態によれば、図６を参照して説明したように、複数の基準待ち受け解除コードと、待ち受け解除コードとを比較し、一致する組がある場合に限り、通信モードを広帯域通信モードに変更することとしたので、セキュリティを高く維持した状態で複数台の発信側装置に対応することができる。
【０１００】
また、一実施の形態によれば、図７を参照して説明したように、発信側装置２００へ登録対象の待ち受け解除コードを要求し、当該発信側装置２００より待ち受け解除コードが受信された場合、該待ち受け解除コードを基準待ち受け解除コードとして登録することとしたので、登録時の利便性を高めることができる。
【０１０１】
以上本発明にかかる一実施の形態について図面を参照して詳述してきたが、具体的な構成例はこの一実施の形態に限られるものではなく、本発明の要旨を逸脱しない範囲の設計変更等があっても本発明に含まれる。
【０１０２】
例えば、前述した一実施の形態においては、図１に示した着信側装置３００（または発信側装置２００）の機能を実現するためのプログラムを図８に示したコンピュータ読み取り可能な記録媒体１１００に記録して、この記録媒体１１００に記録されたプログラムを同図に示したコンピュータ１０００に読み込ませ、実行することにより各機能を実現してもよい。
【０１０３】
同図に示したコンピュータ１０００は、上記プログラムを実行するＣＰＵ（Ｃｅｎｔｒａｌ　Ｐｒｏｃｅｓｓｉｎｇ　Ｕｎｉｔ）１０１０と、キーボード、マウス等の入力装置１０２０と、各種データを記憶するＲＯＭ（Ｒｅａｄ　Ｏｎｌｙ　Ｍｅｍｏｒｙ）１０３０と、演算パラメータ等を記憶するＲＡＭ（Ｒａｎｄｏｍ　Ａｃｃｅｓｓ　Ｍｅｍｏｒｙ）１０４０と、記録媒体１１００からプログラムを読み取る読取装置１０５０と、ディスプレイ、プリンタ等の出力装置１０６０と、装置各部を接続するバス１０７０とから構成されている。
【０１０４】
ＣＰＵ１０１０は、読取装置１０５０を経由して記録媒体１１００に記録されているプログラムを読み込んだ後、プログラムを実行することにより、前述した機能を実現する。なお、記録媒体１１００としては、光ディスク、フレキシブルディスク、ハードディスク等が挙げられる。
【０１０５】
（付記１）発信側装置より発信された広帯域信号を広帯域で受信する広帯域受信手段と、
前記発信側装置より発信され、待ち受けを解除するための待ち受け解除コードを含む広帯域信号を狭帯域で受信する狭帯域受信手段と、
待ち受け時に前記広帯域受信手段をオフにするとともに、前記狭帯域受信手段をオンにする狭帯域通信モードに通信モードを設定し、前記狭帯域受信手段に前記待ち受け解除コードを含む広帯域信号が受信された場合、待ち受けを解除し、前記広帯域受信手段をオンにするとともに、前記狭帯域受信手段をオフにする広帯域通信モードに前記通信モードを変更する制御手段と、
を備えたことを特徴とする無線通信装置。
【０１０６】
（付記２）前記狭帯域受信手段は、受信された前記広帯域信号を狭帯域の増幅特性で増幅する狭帯域増幅部と、該狭帯域増幅部の出力信号を狭帯域のバンドパスフィルタ特性でフィルタリングするバンドパスフィルタとを備えたことを特徴とする付記１に記載の無線通信装置。
【０１０７】
（付記３）前記制御手段は、予め登録された基準待ち受け解除コードと、前記待ち受け解除コードとを比較し、両者が一致した場合に限り、前記通信モードを前記広帯域通信モードに変更することを特徴とする付記１または２に記載の無線通信装置。
【０１０８】
（付記４）前記基準待ち受け解除コードは、予め複数登録されており、前記制御手段は、複数の基準待ち受け解除コードと、前記待ち受け解除コードとを比較し、一致する組がある場合に限り、前記通信モードを前記広帯域通信モードに変更することを特徴とする付記３に記載の無線通信装置。
【０１０９】
（付記５）前記発信側装置へ登録対象の待ち受け解除コードを要求する要求手段と、
当該発信側装置より待ち受け解除コードが受信された場合、該待ち受け解除コードを前記基準待ち受け解除コードとして登録する登録手段と、
を備えたことを特徴とする付記３または４に記載の無線通信装置。
【０１１０】
（付記６）前記広帯域信号は、ＣＤＭＡ方式に基づく信号であることを特徴とする付記１〜５のいずれか一つに記載の無線通信装置。
【０１１１】
（付記７）発信側装置より発信された広帯域信号を広帯域で受信する広帯域受信手段と、前記発信側装置より発信され、待ち受けを解除するための待ち受け解除コードを含む広帯域信号を狭帯域で受信する狭帯域受信手段とを備えた無線通信装置に適用される通信制御方法であって、
待ち受け時に前記広帯域受信手段をオフにするとともに、前記狭帯域受信手段をオンにする狭帯域通信モードに通信モードを設定し、前記狭帯域受信手段で前記待ち受け解除コードを含む広帯域信号が受信された場合、待ち受けを解除し、前記広帯域受信手段をオンにするとともに、前記狭帯域受信手段をオフにする広帯域通信モードに前記通信モードを変更する制御工程、
を含むことを特徴とする通信制御方法。
【０１１２】
（付記８）前記狭帯域受信手段は、受信された前記広帯域信号を狭帯域の増幅特性で増幅する狭帯域増幅部と、該狭帯域増幅部の出力信号を狭帯域のバンドパスフィルタ特性でフィルタリングするバンドパスフィルタとを備えたことを特徴とする付記７に記載の通信制御方法。
【０１１３】
（付記９）前記制御工程では、予め登録された基準待ち受け解除コードと、前記待ち受け解除コードとを比較し、両者が一致した場合に限り、前記通信モードを前記広帯域通信モードに変更することを特徴とする付記７または８に記載の通信制御方法。
【０１１４】
（付記１０）前記基準待ち受け解除コードは、予め複数登録されており、前記制御工程では、複数の基準待ち受け解除コードと、前記待ち受け解除コードとを比較し、一致する組がある場合に限り、前記通信モードを前記広帯域通信モードに変更することを特徴とする付記９に記載の通信制御方法。
【０１１５】
（付記１１）前記発信側装置へ登録対象の待ち受け解除コードを要求する要求工程と、
当該発信側装置より待ち受け解除コードが受信された場合、該待ち受け解除コードを前記基準待ち受け解除コードとして登録する登録工程と、
を含むことを特徴とする付記９または１０に記載の通信制御方法。
【０１１６】
（付記１２）前記広帯域信号は、ＣＤＭＡ方式に基づく信号であることを特徴とする付記７〜１１のいずれか一つに記載の通信制御方法。
【０１１７】
（付記１３）コンピュータを、
発信側装置より発信された広帯域信号を広帯域で受信する広帯域受信手段、
前記発信側装置より発信され、待ち受けを解除するための待ち受け解除コードを含む広帯域信号を狭帯域で受信する狭帯域受信手段、
待ち受け時に前記広帯域受信手段をオフにするとともに、前記狭帯域受信手段をオンにする狭帯域通信モードに通信モードを設定し、前記狭帯域受信手段に前記待ち受け解除コードを含む広帯域信号が受信された場合、待ち受けを解除し、前記広帯域受信手段をオンにするとともに、前記狭帯域受信手段をオフにする広帯域通信モードに前記通信モードを変更する制御手段、
として機能させるための通信制御プログラム。
【０１１８】
（付記１４）前記狭帯域受信手段は、受信された前記広帯域信号を狭帯域の増幅特性で増幅する狭帯域増幅部と、該狭帯域増幅部の出力信号を狭帯域のバンドパスフィルタ特性でフィルタリングするバンドパスフィルタとを備えたことを特徴とする付記１３に記載の通信制御プログラム。
【０１１９】
（付記１５）前記制御手段は、予め登録された基準待ち受け解除コードと、前記待ち受け解除コードとを比較し、両者が一致した場合に限り、前記通信モードを前記広帯域通信モードに変更することを特徴とする付記１３または１４に記載の通信制御プログラム。
【０１２０】
（付記１６）前記基準待ち受け解除コードは、予め複数登録されており、前記制御手段は、複数の基準待ち受け解除コードと、前記待ち受け解除コードとを比較し、一致する組がある場合に限り、前記通信モードを前記広帯域通信モードに変更することを特徴とする付記１５に記載の通信制御プログラム。
【０１２１】
（付記１７）前記コンピュータを、前記発信側装置へ登録対象の待ち受け解除コードを要求する要求手段、
当該発信側装置より待ち受け解除コードが受信された場合、該待ち受け解除コードを前記基準待ち受け解除コードとして登録する登録手段、
として機能させるための付記１５または１６に記載の通信制御プログラム。
【０１２２】
（付記１８）前記広帯域信号は、ＣＤＭＡ方式に基づく信号であることを特徴とする付記１３〜１７のいずれか一つに記載の通信制御プログラム。
【０１２３】
【発明の効果】
以上説明したように、本発明によれば、発信側装置より発信された広帯域信号を広帯域で受信する広帯域受信手段と、発信側装置より発信され、待ち受けを解除するための待ち受け解除コードを含む広帯域信号を狭帯域で受信する狭帯域受信手段とを設け、待ち受け時に広帯域受信手段をオフにするとともに、狭帯域受信手段をオンにする狭帯域通信モードに通信モードを設定し、狭帯域受信手段に待ち受け解除コードを含む広帯域信号が受信された場合、待ち受けを解除し、広帯域受信手段をオンにするとともに、狭帯域受信手段をオフにすることとしたので、広帯域のみに対応する発信側装置で足り、しかも待ち受け時に狭帯域通信モードにより消費電力が広帯域通信モードに比べ低減されるため、低コストで待ち受け時の消費電力を低減させることができるという効果を奏する。
【０１２４】
また、本発明によれば、狭帯域受信手段を、受信された広帯域信号を狭帯域の増幅特性で増幅する狭帯域増幅部と、該狭帯域増幅部の出力信号を狭帯域のバンドパスフィルタ特性でフィルタリングするバンドパスフィルタとを備えるように構成したので、低コストで待ち受け時の消費電力を低減させることができるという効果を奏する。
【０１２５】
また、本発明によれば、予め登録された基準待ち受け解除コードと、待ち受け解除コードとを比較し、両者が一致した場合に限り、通信モードを広帯域通信モードに変更することとしたので、セキュリティを高めることができるという効果を奏する。
【０１２６】
また、本発明によれば、複数の基準待ち受け解除コードと、待ち受け解除コードとを比較し、一致する組がある場合に限り、通信モードを広帯域通信モードに変更することとしたので、セキュリティを高く維持した状態で複数台の発信側装置に対応することができるという効果を奏する。
【０１２７】
また、本発明によれば、発信側装置へ登録対象の待ち受け解除コードを要求し、当該発信側装置より待ち受け解除コードが受信された場合、該待ち受け解除コードを基準待ち受け解除コードとして登録することとしたので、登録時の利便性を高めることができるという効果を奏する。
【図面の簡単な説明】
【図１】本発明にかかる一実施の形態の構成を示すブロック図である。
【図２】同一実施の形態の動作原理を説明する図である。
【図３】同一実施の形態で用いられる送信パケット８００の構成を示す図である。
【図４】図１に示した発信側装置２００の動作を説明するフローチャートである。
【図５】図１に示した着信側装置３００の動作を説明するフローチャートである。
【図６】同一実施の形態で用いられる待ち受け解除コードテーブル９００を示す図である。
【図７】同一実施の形態における基準待ち受け解除コード登録処理を説明するフローチャートである。
【図８】同一実施の形態の変形例の構成を示すブロック図である。
【図９】従来のＣＤＭＡ通信システム１０の構成を示すブロック図である。
【図１０】ＣＤＭＡ通信システムの動作原理を説明する図である。
【図１１】従来のＣＤＭＡ通信システム７０の構成を示すブロック図である。
【図１２】図１１に示した発信側装置８０の動作を説明するフローチャートである。
【図１３】図１１に示した着信側装置９０の動作を説明するフローチャートである。
【符号の説明】
２１　変調部
２２　周波数拡散部
２３　広帯域増幅部
２４　アンテナ
５２　広帯域増幅部
５３　周波数逆拡散部
５４　復調部
２００　発信側装置
２０１　制御部
３００　着信側装置
３０１　バンドパスフィルタ
３０２　制御部
４００　待ち受け解除コード
５００　ＣＤＭＡ通信システム
【図１】
2004007288.tif 000003
【図２】
2004007288.tif 000004
【図３】
2004007288.tif 000005
【図４】
2004007288.tif 000006
【図５】
2004007288.tif 000007
【図６】
2004007288.tif 000008
【図７】
2004007288.tif 000009
【図８】
2004007288.tif 000010
【図９】
2004007288.tif 000011
【図１０】
2004007288.tif 000012
【図１１】
2004007288.tif 000013
【図１２】
2004007288.tif 000014
【図１３】
2004007288.tif 000015